(57)【要約】【課題】需要あるいは用途に応じて手術室内の配置を変更可能な可変型手術室を提供する。【解決手段】可変型手術室（１）は、複数の区画パネル（１３、１３ｄ、１３ｅ、１３ｅ、１３ｆ、１３ｈ）と、各々の区画パネルの位置を交換可能に保持する区画梁部（１４）とを有する天井部（３）と、天井部の上方に設けられ、区画パネル及び区画パネルに取り付ける取り付け物を保持可能に架設された構造梁部（５）とを備え、複数の区画パネルは、少なくともシーリングペンダント（１６、１７、１８）を取り付けるシーリングペンダント用パネル（１３ａ、１３ｂ、１３ｃ）と、照明するための照明用パネル（１３ｄ）と、清浄空気を循環させるための空気清浄用パネル（１３ｅ）を有することを特徴とする。【選択図】図２
2015171421.tif 000002
【特許請求の範囲】
【請求項１】
複数の区画パネルと、各々の前記区画パネルの位置を交換可能に保持する区画梁部とを有する天井部と、
前記天井部の上方に設けられ、前記区画パネル及び前記区画パネルに取り付ける取り付け物を保持可能に架設された構造梁部と
を備え、
前記複数の区画パネルは、少なくともシーリングペンダントを取り付けるシーリングペンダント用パネルと、照明するための照明用パネルと、清浄空気を循環させるための空気清浄用パネルを有する
ことを特徴とする可変型手術室。
【請求項２】
前記取り付け物は、前記シーリングペンダント用パネルに取り付けられる前記シーリングペンダント及び前記シーリングペンダントに取り付けられる無影灯あるいはモニター画像装置、前記照明用パネルに取り付けられる照明灯、及び前記空気清浄用パネルに取り付けられる清浄フィルタである
ことを特徴とする請求項１に記載の可変型手術室。
【請求項３】
前記複数の区画パネルは、電力を供給するための電力供給部を取り付ける電力供給用パネルと、空気を循環するための循環用配管部を取り付ける循環用配管部用パネルを有する
ことを特徴とする請求項１に記載の可変型手術室。
【請求項４】
前記区画梁部に間仕切り用レールが配設されており、前記間仕切り用レールに間仕切り用扉が架け下げ可能である
ことを特徴とする請求項１に記載の可変型手術室。
【請求項５】
壁部に移動可能に棚が設けられている
ことを特徴とする請求項１に記載の可変型手術室。
【請求項６】
前記複数の区画パネルの各々は同一形状に形成されている
ことを特徴とする請求項１に記載の可変型手術室。
【請求項７】
比較検討することを可能にする比較検討型モデル手術室である
ことを特徴とする請求項１に記載の可変型手術室。
【発明の詳細な説明】
【技術分野】
【０００１】
本発明は、可変型手術室に係り、特に、手術室内における無影灯等を搭載するシーリングペンダントや空気清浄用パネル等の配置位置を簡易に変更することが可能な可変型手術室に関する。
【背景技術】
【０００２】
病院における手術室は病院の建設時に設計され構築されるのが通常であり、一度、手術室が構築されると、その手術室は当初の設計された姿で活用される。
【０００３】
このように手術室は病院の建設時に設計されるために、長年に渡る使用に対応できるように種々の工夫がなされている。
【先行技術文献】
【特許文献】
【０００４】
【特許文献１】特開２００４−７００２１号公報
【特許文献２】特開２０１３−２１２４１１号公報
【発明の開示】
【発明が解決しようとする課題】
【０００５】
医療現場の変化は著しく、将来的に予想される種々の需要を取り込んで設計しようとしたとしてもそれに限度がある。また、仮想的な将来の可能性を大きく考慮しすぎることは、現在の直接的な需要に合致することを犠牲にしてしまうことにもなる。また、限られた医療スペースを多面的な需要に合致するように簡易に手術室の構成を変更可能にしたいという要請もある。
【０００６】
しかしながら、従来の手術室においては、シーリングペンダントや空気清浄用パネル等の配置位置を変更することは想定されていないために、手術室を需要に柔軟に対応させることができなかった。
【０００７】
また、新たに手術室を造ることを検討する場合に、図面上や模型モデル上で比較検討することしかできず、複数の実際に候補となる手術室を簡易に構成し相互に比較検討することを可能にするいわば比較検討型モデル手術室が存在しないという問題があった。
【０００８】
そこで、本願発明の目的は、需要あるいは用途に応じて手術室内の配置を変更可能な可変型手術室を提供することである。
【課題を解決するための手段】
【０００９】
上記目的を達成するために、本件発明に係る可変型手術室は、複数の区画パネルと、各々の前記区画パネルの位置を交換可能に保持する区画梁部とを有する天井部と、前記天井部の上方に設けられ、前記区画パネル及び前記区画パネルに取り付ける取り付け物を保持可能に架設された構造梁部とを備え、前記複数の区画パネルは、少なくともシーリングペンダントを取り付けるシーリングペンダント用パネルと、照明するための照明用パネルと、清浄空気を循環させるための空気清浄用パネルを有することを特徴とする。
【００１０】
また、前記取り付け物は、前記シーリングペンダント用パネルに取り付けられる前記シーリングペンダント及び前記シーリングペンダントに取り付けられる無影灯あるいはモニター画像装置、前記照明用パネルに取り付けられる照明灯、及び前記空気清浄用パネルに取り付けられる清浄フィルタであることを特徴とする。
【００１１】
また、前記複数の区画パネルは、電力を供給するための電力供給部を取り付ける電力供給用パネルと、空気を循環するための循環用配管部を取り付ける循環用配管部用パネルを有することを特徴とする。
【００１２】
また、前記区画梁部に間仕切り用レールが配設されており、前記間仕切り用レールに間仕切り用扉が架け下げ可能であることを特徴とする。
【００１３】
また、壁部に移動可能に棚が設けられていることを特徴とする。
【００１４】
また、前記複数の区画パネルの各々は同一形状に形成されていることを特徴とする。
【００１５】
また、比較検討することを可能にする比較検討型モデル手術室であることを特徴とする。
【発明の効果】
【００１６】
本願発明の構成によれば、複数の区画パネルと、各々の前記区画パネルの位置を交換可能に保持する区画梁部とを有する天井部と、前記天井部の上方に設けられ、前記区画パネル及び前記区画パネルに取り付ける取り付け物を保持可能に架設された構造梁部とを備えるので、区画パネルに取り付ける例えば重量のあるシーリングペンダント等の取り付け物を構造梁部に保持することが可能であるとともに、シーリングペンダント用パネルと照明用パネルと空気清浄用パネルとの間で配置位置を交換することが可能になり、手術室内の配置を簡易に変更することが可能になる。
【００１７】
また、新たに手術室を造ることを検討する場合に、図面上や模型モデル上で比較検討することを越えて、複数の実際に候補となる手術室を簡易に構成し相互に比較検討することを可能にする比較検討型モデル手術室を提供することを可能にする。
【図面の簡単な説明】
【００１８】
【図１】本願発明の可変型手術室の概略を示す図。
【図２】本願発明の可変型手術室の天井部と構造梁部を示す概略断面図。
【図３】天井部の複数の区画パネルを示す概略図。
【図４】天井部と構造梁部の関係の一例を示す概略断面図。
【図５】壁部に設けられた移動可能な棚部を示す図。
【発明を実施するための最良の形態】
【００１９】
以下に図面を参照し、本願発明の可変型手術室の実施の形態について説明する。
【００２０】
図１は可変型手術室１を示し、可変型手術室１は、天井部３と、天井部３の上方に設けられた構造梁部５と、壁部７と、床部９を備えている。床部９上には手術台１０が配置されている。壁部７には棚部１１が設けられている。
【００２１】
天井部３は、複数の区画パネル１３と、各々の区画パネル１３の位置を交換可能に保持する区画梁部１４とを有する。天井部３の複数の区画パネル１３の一部には、アームの長さや方向等を自在に変更可能なシーリングペンダント１６、１７、１８が取り付けられている。シーリングペンダント１６の先端部にはモニター画像装置１９が取り付けられ、シーリングペンダント１７、１８には無影灯２０、２１が取り付けられている。
【００２２】
図２は、可変型手術室１の天井部３と構造梁部５を示す概略断面図である。可変型手術室１の左右の両側端と前後の両側には、頑強な構造壁２２が立設されている。図２には、左右の両側端の構造壁２２のみが示されている。
【００２３】
構造梁部５は、断面が方形状であり、長い棒板状の梁が左右の両側端の構造壁２２の間に掛け渡された左右梁と、長い棒板状の梁が前後の両側端の構造壁２２の間に掛け渡された前後梁とが格子状に組まれて形成されている。格子状に組まれた左右梁と前後梁との交差位置には、上下に貫通する梁孔５ａが形成されている。左右梁と前後梁とは、互いに格子状に取り付けられているとともに、４面の構造壁２２によって、大きな重量が負荷された場合にもそれらを十分に支持し耐えるように構成されている。
【００２４】
天井部３の区画梁部１４は、断面が逆Ｔ字状に形成され、長い棒板状の梁が左右の両側端の構造壁２２の間に掛け渡された左右区画梁と、長い棒板状の梁が前後の両側端の構造壁２２の間に掛け渡された前後区画梁とが格子状に組まれて形成されている。
【００２５】
図３に示すように、複数の区画パネル１３は、少なくともシーリングペンダント１６、１７、１８を取り付けるシーリングペンダント用パネル１３ａ、１３ｂ、１３ｃと、照明するための照明用パネル１３ｄと、清浄空気を環流させる空気清浄用パネル１３ｅを備えている。
【００２６】
前述したように、シーリングペンダント用パネル１３ａ、１３ｂ、１３ｃには、取り付け物として各々モニター画像装置１９と無影灯２０、２１が取り付けられている。照明用パネル１３ｄには、取り付け物として照明灯が取り付けられている。空気清浄用パネル１３ｅには、取り付け物として清浄フィルタが取り付けられている。清浄フィルタとしてはＨＥＰＡフィルタを用いることが可能である。
【００２７】
シーリングペンダント１６は、その軸部１６ｂがシーリングペンダント用パネル１３ａにナット１６ａによって取り付けれるとともに、構造梁部５の梁孔５ａを貫通し梁孔５ａの上側でナット１６ｃによって構造梁部５に取り付けられている。シーリングペンダント１６はそれ自身大きな重量を有しさらに取り付け物として重いモニター画像装置１９を保持しているので、モニター画像装置１９を保持するシーリングペンダント１６はシーリングペンダント用パネル１３ａに対し非常に大きな重量的負荷を与えることになる。このために、モニター画像装置１９を保持するシーリングペンダント１６を取り付けたシーリングペンダント用パネル１３ａを、天井部３の区画梁部１４によって保持することには無理があり得る。しかしながら、本願発明においては、シーリングペンダント１６は、天井部３の区画梁部１４のみではなく構造梁部５に取り付けられているので、重量負荷的に十分に耐えてシーリングペンダント用パネル１３ａに保持することが可能である。
【００２８】
同様にして、シーリングペンダント１７、１８はその軸部１７ｂ、１８ｂがシーリングペンダント用パネル１３ｂ、１３ｃにナット１７ａ、１７ｂによって取り付けれるとともに、構造梁部５の梁孔５ａを貫通し梁孔５ａの上側でナット１７ｃ、１８ｃによって構造梁部５に取り付けられている。これによって、天井部３の区画梁部１４のみではなく構造梁部５に取り付けられているので、シーリングペンダント１７、１８は、無影灯２０、２１を保持し大きな重量を有するにも係わらず、重量負荷的に十分に耐えてシーリングペンダント用パネル１３ｂ、１３ｃに保持することが可能である。
【００２９】
図３においては、照明用パネル１３ｄは１０個設けられている。１０個の 照明用パネル１３ｄは全て同色の照明色ではなく、手術される患者に精神的安息感を与えるように、照明色と空間的配置が工夫することも可能である。
【００３０】
複数の区画パネル１３はさらに、電力を供給するための取り付け物としての電力供給部２３を取り付ける電力供給用パネル１３ｆと、空気を循環するための取り付け物としての循環用配管部２４を取り付ける循環用配管部用パネル１３ｇと、手術室の配置変更時に使用予定の予備用パネル１３ｈとを有する。
【００３１】
電力供給部２３には外部から電力が供給され、電力供給部２３から照明用パネル１３ｄの照明灯や、モニター画像装置１９、無影灯２０、２１や、循環用配管部２４の空調温度制御部等に電力が供給される。電力供給部２３はビスナット２３ｂによって電力供給用パネル１３ｆに取り付けられており、電力供給部２３のケーブル類２３ａは構造梁部５の梁孔５ａを貫通するとともに留め具２３ｃによって構造梁部５に保持され、外部に電気的に接続されている。
【００３２】
また、循環用配管部２４は、循環空気を温度制御するとともに空気を清浄し、空気清浄された清浄吸気を空気清浄用パネル１３ｅに配管供給するためのものである。循環用配管部２４はビスナット２４ｄによって循環用配管部用パネル１３ｇに取り付けられており、吸引用配管２４ｂと排出用配管２４ｃは構造梁部５の梁孔５ａを貫通するとともに留め具２４ｄによって構造梁部５に保持され、配管カバー２４ａとともに外部に接続されている。
【００３３】
なお、シーリングペンダントを取り付けるシーリングペンダント用パネルや、照明するための照明用パネルや、清浄空気を環流させる空気清浄用パネル等を図３に示す個数よりも多く準備しておくことによって、可変型手術室１におけるシーリングペンダント用パネルや、照明するための照明用パネルや、清浄空気を環流させる空気清浄用パネル等の個数の増減を図ることも可能である。
【００３４】
上述の実施の形態において、複数の区画パネル１３の各々は、同じ大きさの矩形形状を有する。そして、複数の区画パネル１３の各々は、取り付け取り外し自在に、天井部３の区画梁部１４に保持されている。このために、例えば、図２及び図３において、シーリングペンダント１６が取り付けられたシーリングペンダント用パネル１３ａの位置と、シーリングペンダント１７が取り付けられたシーリングペンダント用パネル１３ｂの位置を交換することも可能である。
【００３５】
この位置交換を行う場合には、まずシーリングペンダント１６からモニター画像装置１９を取り外し、次に、シーリングペンダント１６の軸部１６ｂをナット１６ｃを緩めて構造梁部５から外し、ナット１６ａを緩めてシーリングペンダント１６を下方へ外し受け取る。同様にして、シーリングペンダント１７から無影灯２０を取り外し、次に、シーリングペンダント１７の軸部１７ｂをナット１７ｃを緩めて構造梁部５から外し、ナット１７ａを緩めてシーリングペンダント１７を下方へ外し受け取る。次に、シーリングペンダント用パネル１３ａとシーリングペンダント用パネル１３ｂを区画梁部１４から外し、次に、シーリングペンダント用パネル１３ａとシーリングペンダント用パネル１３ｂとを位置交換する。次に、新たな位置のシーリングペンダント用パネル１３ａとシーリングペンダント用パネル１３ｂに、取り外すときと逆の手順で、シーリングペンダント１６とシーリングペンダント１７を構造梁部５と区画梁部１４に取り付ければよい。
【００３６】
複数の区画パネル１３の各々の間の位置交換は、所望に応じて種々に選択的に行うことができる。例えば、より大型の手術を行う場合には、手術台１０を手術室のより中央部に置き、多数の医療スタッフが係われるようにする必要がある。この場合、手術台１０を手術室のより中央部に移動することに伴い、手術台１０の位置に対してシーリングペンダント用パネル１３ａ、１３ｂ、１３ｃや、照明用パネル１３ｄや、空気清浄用パネル１３ｅ等の位置を好適に位置変化させてやればよい。
【００３７】
なお、複数の区画パネル１３の各々は、同じ大きさの矩形形状を有するとしたが、区画パネル１３の形状は矩形形状で必ずしもある必要はなく、例えば円形形状であってもよい。この場合、円形形状の区画パネル１３に合わせて区画梁部１４の形状を円形状に設定すればよい。
【００３８】
また、複数の区画パネル１３の各々は必ずしも同じ大きさである必要はなく、補助的部材に用いることによって区画パネル１３の互いの位置を交換することも可能である。
【００３９】
また、天井部３の区画梁部１４として断面が逆Ｔ字状に形成されたものを例にして説明したが、区画梁部１４としては、区画パネル１３を取り外し取り付けできるものであれば、他の形状でもよい。
【００４０】
以上説明したように、本実施の形態によれば、天井部３は複数の区画パネル１３の各々の位置を交換可能に保持する区画梁部１４を有するので、区画パネル１３を区画梁部１４に置き直すだけで簡易に互いに位置を交換することが可能になる。
【００４１】
また、天井部３の上方に構造梁部５を備えるので、区画パネル１３にシーリングペンダント１６、１７、１８や無影灯２０，２１や電力供給部２３や循環用配管部２４等の重い取り付け物を取り付けた場合においても、区画梁部１４に荷重負担をすることなく、天井部３は複数の区画パネル１３の各々の位置を交換可能に保持することができる。
【００４２】
また、天井部３は複数の区画パネル１３の各々の位置を交換可能に保持することができるので、依頼主が新たに手術室を造ることを検討する場合において、図面上や模型モデル上で比較検討することを越えて複数の実際に候補となる手術室を簡易に構成し相互に比較検討することを可能にする、いわば比較検討型モデル手術室を提供することができる。この結果、本実施の形態に係る可変型手術室は、依頼者が可変型手術室を種々の形態の手術室として利用可能であるだけでなく、手術室の設計等を依頼者に提案する提案者が、本実施の形態に係る可変型手術室を比較検討型モデル手術室として用意しておくことにより、依頼者が実物大で目当ての手術室を検討することを可能なように、種々の手術室を提案することをできる。
【００４３】
次に、本願発明の他の実施の形態について説明する。
【００４４】
図２及び図４に示すように、前後方向に配設された一つの区画梁部１４には、間仕切り用レール２７が配設されている。間仕切り用レール２７には取り付け取り外し自在に間仕切り用扉２８が架け下げることが可能である。なお、図２及び図４においては、前後方向の一つの区画梁部１４に間仕切り用レール２７を設けた例を示したが、間仕切り用レール２７はさらに左右方向に設けてもよく、また、多数の区画梁部１４に設けてもよい。
【００４５】
本実施の形態によれば、区画梁部１４に間仕切り用レール２７を設けるようにしたので、簡易に間仕切り用レール２７を設けることができ、結果的に簡易に間仕切り用扉２８が架け下げることが可能になる。
【００４６】
また、間仕切り用扉２８が架け下げることが可能になるので、一つの手術室を複数に分割したり、あるいは適度な広さの手術室を簡易に構成することが可能になる。
【００４７】
なお、図２に示す例では、間仕切り用扉２８の拡がる方向が区画梁部１４に設けた間仕切り用レール２７の長手方向である例を示したが、本願発明はこれに限らず、例えば、可変型手術室１の奥側と手前側と必要に応じて中央部に左右方向に２本あるいは３本の間仕切り用レール２７を設け、これらの左右に平行な間仕切り用レール２７の間に薄板状に拡がった間仕切り用扉２８を架け下げることも可能である。この場合、間仕切り用扉２８を左右に移動するだけで可変型手術室１を簡易に左右に２分することが可能になる。
【００４８】
次に、本願発明のさらに他の実施の形態について説明する。
【００４９】
図５において、壁部７に物を収納したり大型モニター画像表示部を取り付けたりするための棚部１１が取り付けられている。大型モニター画像表示部は棚部１１の前部の一部に立て掛けることができる。また、緊急性の予備的な手術具等は棚部１１の棚に載置することができる。
【００５０】
壁部７には例えば格子状にレール２９が敷設されている。棚部１１の背部にはレール２９に嵌め込まれた突起部が設けられており、この突起部を介して棚部１１はレール２９に沿って移動可能にレール２９に取り付けられている。棚部１１は、レール２９の格子の長さ単位で縦方向及び横方向に移動させ、その後に縦方向か横方向のいずれか一方向に位置調整され、最終的な設定位置でストッパーで固定される。
【００５１】
図５において、当初に壁部７に対して位置する棚部１１を右方及び上方へ一格子長さだけ移動させた新たな位置の棚部１１が示されている。手術室における手術台１０の設置位置を変えることに連動して棚部１１を新たな位置に移動したものである。
【００５２】
本実施の形態によれば、壁部７にレール２９が敷設され、棚部１１の背部にレール２９に嵌め込まれた突起部が設けられているので、手術室における棚部１１の位置を容易に変更することができる。
【００５３】
なお、壁部７に対して棚部１１を移動可能に取り付ける方法としては、壁部７にレール２９を敷設することに限らず、棚部１１に車輪を付けて移動後に壁部７に留めるようにしてもよい。
【００５４】
また、棚部１１が壁部７に沿って移動可能なように天井部３にレール２９を敷設し、このレール２９に沿って棚部１１を保持するようにしてもよい。
【符号の説明】
【００５５】
１  可変型手術室
３  天井部
５  構造梁部
５ａ  梁孔
７  壁部
１０  手術台
１１、３１  棚部
１３  区画パネル
１３ａ、１３ｂ、１３ｃ  シーリングペンダント用パネル
１３ｄ  照明用パネル
１３ｅ  空気清浄用パネル
１３ｆ  電力供給用パネル
１３ｈ  予備用パネル
１４  区画梁部
１６、１７、１８  シーリングペンダント
１９  モニター画像装置
２０、２１  無影灯
２２  構造壁
２３  電力供給部
２４  循環用配管部
２７  間仕切り用レール
２８  間仕切り用扉
【図１】
2015171421.tif 000003
【図２】
2015171421.tif 000004
【図３】
2015171421.tif 000005
【図４】
2015171421.tif 000006
【図５】
2015171421.tif 000007